(57)【要約】【課題】省電力化を図ることができるデジタル放送受信装置を提供する。【解決手段】電源制御部７は、検波器３ｃの出力に基づいて、ミキサ３ｂから出力されるＩＦ信号のレベルを検知する。そして、電源制御部７は、ミキサ３ｂから出力されるＩＦ信号のレベルが予め設定されている閾値以下になると、ＯＦＤＭ変調ＩＣ６への電源供給をオフにする。ここで、ＲＦ信号レベルが劣化するとＩＦ信号のレベルも劣化するので、電源制御部７が上記動作を行うことによって視聴が不可能な状態であるときにＯＦＤＭ復調ＩＣ６への電源供給を停止させることができ、省電力化を図ることができる。【選択図】      図１
2004364000.tif 000002
【特許請求の範囲】
【請求項１】
高周波信号を受信するデジタル放送受信装置において、
デジタル変調された信号を復調するデジタル変調回路への電源供給のオン／オフを前記高周波信号のレベルに応じて制御する電源制御部を備えることを特徴とするデジタル放送受信装置。
【請求項２】
前記高周波信号を中間周波信号に変換する周波数変換部を備え、
前記中間周波信号のレベルが所定の値以下になると、前記電源制御部が前記デジタル変調回路への電源供給をオフにする請求項１に記載のデジタル放送受信装置。
【請求項３】
前記高周波信号を増幅する第１の増幅器と、
前記高周波信号のレベルに応じた第１の制御電圧を生成し、前記第１の増幅器の利得を前記第１の制御電圧によって制御する第１の制御部と、
を備え、
前記第１の制御電圧が所定の値を越えると、前記電源制御部が前記デジタル変調回路への電源供給をオフにする請求項１に記載のデジタル放送受信装置。
【請求項４】
前記高周波信号を中間周波信号に変換する周波数変換部と、
前記中間周波信号を増幅する第２の増幅器と、
前記中間周波信号レベルに応じた第２の制御電圧を生成し、前記第２の増幅器の利得を前記第２の制御電圧によって制御する第２の制御部と、
を備え、
前記第２の制御電圧が所定の値を越えると、前記電源制御部が前記デジタル変調回路への電源供給をオフにする請求項１に記載のデジタル放送受信装置。
【請求項５】
前記高周波信号のレベルが所定の値以下になっても、その状態が一定期間続かなければ、前記電源制御部が前記デジタル変調回路への電源供給をオフにしない請求項１〜４のいずれかに記載のデジタル放送受信装置。
【請求項６】
前記電源制御部が前記デジタル変調回路への電源供給をオフした後に、前記デジタル変調回路への電源供給がオフされたことを報知する第１の報知装置を備える請求項１〜５のいずれかに記載のデジタル放送受信装置。
【請求項７】
前記電源制御部が前記デジタル変調回路への電源供給をオフする前に、前記デジタル変調回路への電源供給がオフされ得ることを報知する第２の報知装置を備える請求項１〜６のいずれかに記載のデジタル放送受信装置。
【発明の詳細な説明】
【０００１】
【発明の属する技術分野】
本発明は、デジタル放送受信装置に関するものである。
【０００２】
【従来の技術】
近年、高品質な映像、音声、あるいはデータを提供することができ、電波の利用効率も高いデジタル放送が登場している。デジタル放送を受信するデジタル放送受信装置は一般に、特に移動通信の際にフェージング等の影響で受信したい電波が弱電界になって所定のレベル以下になると急激なデコード信号の劣化によって突然視聴が不可能な状態になるという欠点を持っている。
【０００３】
【特許文献１】
特開２００１−１４５０５１号公報
【０００４】
【発明が解決しようとする課題】
そして、上記のように視聴不可能になった状態ではデジタル信号処理の必要がなくなるが、従来のデジタル放送受信装置は視聴不可能になった状態でもデジタル信号処理を行っているため無駄な電力を消費してしまっていた。
【０００５】
本発明は、上記の問題点に鑑み、省電力化を図ることができるデジタル放送受信装置を提供することを目的とする。
【０００６】
【課題を解決するための手段】
上記目的を達成するために、本発明に係るデジタル放送受信装置においては、
デジタル変調された信号を復調するデジタル変調回路への電源供給のオン／オフを高周波信号のレベルに応じて制御する電源制御部を備える構成とする。
【０００７】
このような構成によると、高周波信号のレベルが劣化して視聴が不可能な状態であるときにデジタル復調回路への電源供給を停止させることができる。これにより、視聴が不可能な状態であるときのデジタル復調回路での消費電力をなくすことができ、省電力化を図ることができる。
【０００８】
デジタル放送受信装置が前記高周波信号を中間周波信号に変換する周波数変換部を備えている場合は、前記中間周波信号のレベルが所定の値以下になると、前記電源制御部が前記デジタル変調回路への電源供給をオフにすればよい。これにより、視聴が不可能な状態であるときにデジタル復調回路への電源供給を停止させることができる。
【０００９】
また、デジタル放送受信装置が、前記高周波信号を増幅する第１の増幅器と、前記高周波信号のレベルに応じた第１の制御電圧を生成し、前記第１の増幅器の利得を前記第１の制御電圧によって制御する第１の制御部と、を備えている場合は、前記第１の制御電圧が所定の値を越えると、前記電源制御部が前記デジタル変調回路への電源供給をオフにすればよい。これにより、視聴が不可能な状態であるときにデジタル復調回路への電源供給を停止させることができる。
【００１０】
また、デジタル放送受信装置が、前記高周波信号を中間周波信号に変換する周波数変換部と、前記中間周波信号を増幅する第２の増幅器と、前記中間周波信号レベルに応じた第２の制御電圧を生成し、前記第２の増幅器の利得を前記第２の制御電圧によって制御する第２の制御部と、を備えている場合は、前記第２の制御電圧が所定の値を越えると、前記電源制御部が前記デジタル変調回路への電源供給をオフにすればよい。これにより、視聴が不可能な状態であるときにデジタル復調回路への電源供給を停止させることができる。
【００１１】
また、上記いずれかの構成のデジタル放送受信装置において、前記高周波信号のレベルが所定の値以下になっても、その状態が一定期間続かなければ、前記電源制御部が前記デジタル変調回路への電源供給をオフにしないようにすることが望ましい。これにより、高周波信号のレベルの瞬間的な劣化によってデジタル復調回路への電源供給が停止することを防止することができ、デジタル復調回路への電源供給の不必要なオン／オフを避けることができる。
【００１２】
また、上記いずれかの構成のデジタル放送受信装置において、前記電源制御部が前記デジタル変調回路への電源供給をオフした後に、前記デジタル変調回路への電源供給がオフされたことを報知する第１の報知装置を備えるようにしてもよい。これにより、視聴が不可能な状態になって受信映像等が遮断されてもデジタル放送受信装置の故障あるいは誤動作によるものでないことをユーザが認識することができるとともに、電波の受信位置等の見直しをユーザに促すことができる。
【００１３】
また、上記いずれかの構成のデジタル放送受信装置において、前記電源制御部が前記デジタル変調回路への電源供給をオフする前に、前記デジタル変調回路への電源供給がオフされ得ることを報知する第２の報知装置を備えてもよい。これにより、これから起こりうる映像等の遮断がデジタル放送受信装置の故障あるいは誤動作によるものでないことをユーザが認識することができ、電波の受信域等の見直しを映像等が遮断される前にユーザに促すこともできる。
【００１４】
【発明の実施の形態】
以下に本発明の一実施形態について図面を参照して説明する。本発明に係るデジタル放送受信装置として、ここでは地上デジタル放送受信装置を例に挙げて説明を行う。本発明に係る地上デジタル放送受信装置の構成を図１に示す。図１の地上デジタル放送受信装置は、ＲＦアンプ１と、トラッキングフィルタ２と、チューナＩＣ３と、ＳＡＷフィルタ４と、ＩＦアンプ５と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調ＩＣ６と、電源制御部７と、ＬＥＤ８とを備えている。そして、チューナＩＣ３は、局部発振器３ａと、ミキサ３ｂと、検波器３ｃと、ＲＦ−ＡＧＣ回路３ｄとを有し、ＯＦＤＭ復調ＩＣ６は、アナログ−デジタル変換器（ＡＤＣ）６ａと、ＯＦＤＭ復調回路６ｂと、ＩＦ−ＡＧＣ回路６ｃとを有する。
【００１５】
アンテナ（図示せず）により受信した放送波は、高周波信号（ＲＦ信号）としてＲＦアンプ１に入力され、ＲＦアンプ１によって増幅され、トラッキングフィルタ２によって帯域制限される。トラッキングフィルタ２から出力されるＲＦ信号は、局部発振器３ａから出力される局部発振信号とミキサ３ｂにおいてミキシングされることによって周波数変換され、中間周波信号（ＩＦ信号）となる。そして、検波器３ｃが、ミキサ３ｂから出力されるＩＦ信号のレベルを検知し、その検知結果をＲＦ−ＡＧＣ回路３ｄに送出する。ＲＦ−ＡＧＣ回路３ｄは、検波器３ｃから出力される検知結果に応じたＡＧＣ電圧を生成し、ミキサ３ｂから出力されるＩＦ信号レベルが制御範囲Ｌ１（図２参照）内で一定になるようにＡＧＣ電圧によってＲＦアンプ１のゲインを制御する。
【００１６】
また、ミキサ３ｂから出力されるＩＦ信号は、ＳＡＷフィルタ４によって帯域制限され、ＩＦアンプ５によって増幅される。アナログ−デジタル変換器（ＡＤＣ）６ａは、ＩＦアンプ５から出力されるＩＦ信号をデジタル信号に変換してＯＦＤＭ復調回路６ｂに送出するとともに、ＩＦアンプ５から出力されるＩＦ信号のレベルを検知し、その検知結果をＩＦ−ＡＧＣ回路６ｃに送出する。ＩＦ−ＡＧＣ回路６ｃは、ＩＦアンプ５から出力される検知結果に応じたＡＧＣ電圧を生成し、ＩＦアンプ５から出力されるＩＦ信号のレベルが制御範囲Ｌ２（図２参照）内で一定になるようにＡＧＣ電圧によってＩＦアンプ５のゲインを制御する。ＯＦＤＭ復調回路６ｂは、アナログ−デジタル変換器（ＡＤＣ）６ａの出力信号をＯＦＤＭ復調し、復号及び誤り訂正を行ってトランスポートストリーム信号（ＴＳ信号）として出力する。なお、本実施形態では、ＲＦ−ＡＧＣ回路３ｄから出力されるＡＧＣ電圧（以下、ＲＦ−ＡＧＣ電圧という）を図２に示す特性曲線Ｔ１のように設定し、ＩＦ−ＡＧＣ回路６ｃから出力されるＡＧＣ電圧（以下、ＩＦ−ＡＧＣ電圧という）を図２に示す特性曲線Ｔ２のように設定する。ＲＦ信号レベルが低くなって制御範囲Ｌ１の上限値より小さくなると、まずＲＦ−ＡＧＣ電圧が増加してＲＦアンプ１のゲインを上げてＩＦ信号を増幅させ、さらにＲＦ信号レベルが低くなって制御範囲Ｌ２の上限値より小さくなると、ＩＦ―ＡＧＣ電圧が増加してＩＦアンプ５のゲインを上げてＩＦ信号を増幅させる。
【００１７】
以下に本発明の特徴部分である電源制御動作について説明する。電源制御部７の動作フローチャートを図３に示す。なお、電源制御部７が図３のフローチャートに示す動作を行う場合、ＬＥＤ８は視聴不可報知用ＬＥＤとなる。
【００１８】
電源制御部７は、初期状態において視聴不可報知用ＬＥＤを消灯し、ＯＦＤＭ復調ＩＣ６への電源供給を停止させないようにする（ステップＳ１０）。なお、電源制御部７がＯＦＤＭ復調ＩＣ６への電源供給を制御する一実施態様としては、例えば電源とＯＦＤＭ復調ＩＣ６との間にスイッチを設け、そのスイッチのオン／オフを電源制御部７が制御する態様が挙げられる。
【００１９】
フェージング等の影響でＲＦ信号レベルが劣化してＲＦ−ＡＧＣ回路３ｄの制御範囲Ｌ１（図２参照）の下限より小さくなると、ミキサ３ｂから出力されるＩＦ信号のレベルも劣化していくので、ミキサ３ｂから出力されるＩＦ信号のレベルによってデジタル復調の限界を越えているか否かの判定が可能である。したがって、続くステップＳ２０において、電源制御部７は、検波器３ｃの出力に基づいて、ミキサ３ｂから出力されるＩＦ信号のレベルを検知する。そして、電源制御部７は、ミキサ３ｂから出力されるＩＦ信号のレベルが予め設定されている閾値より大きいかを判定する（ステップＳ３０）。ミキサ３ｂから出力されるＩＦ信号のレベルが予め設定されている閾値より大きければ（ステップＳ３０のＹｅｓ）、ステップＳ２０に移行する。この場合、ＯＦＤＭ復調ＩＣ６に電源が供給されるので、ＯＦＤＭ復調ＩＣ６はトランスポートストリーム信号（ＴＳ信号）を出力する。
【００２０】
一方、ミキサ３ｂから出力されるＩＦ信号のレベルが予め設定されている閾値以下であれば（ステップＳ３０のＮｏ）、電源制御部７は、視聴不可報知用ＬＥＤを点灯して視聴が不可能な状態であることをユーザに報知するとともに、ＯＦＤＭ復調ＩＣ６への電源供給を停止させる（ステップＳ４０）。このように視聴が不可能な状態であるときにＯＦＤＭ復調ＩＣ６への電源供給が停止するので、視聴が不可能な状態であるときのＯＦＤＭ復調ＩＣ６での消費電力をなくすことができ、省電力化を図ることができる。また、視聴不可報知用ＬＥＤを点灯して視聴が不可能な状態であることをユーザに報知するので、視聴が不可能な状態になって受信映像等が遮断されてもデジタル放送受信装置の故障あるいは誤動作によるものでないことをユーザが認識することができるとともに、電波の受信位置等の見直しをユーザに促すことができる。
【００２１】
続くステップＳ５０において、電源制御部７は、検波器３ｃの出力に基づいて、ミキサ３ｂから出力されるＩＦ信号のレベルを検知する。そして、電源制御部７は、ミキサ３ｂから出力されるＩＦ信号のレベルが予め設定されている閾値より大きいかを判定する（ステップＳ６０）。ミキサ３ｂから出力されるＩＦ信号のレベルが予め設定されている閾値より大きければ（ステップＳ６０のＹｅｓ）、電源制御部７は、視聴不可報知用ＬＥＤを消灯し、ＯＦＤＭ復調ＩＣ６への電源供給を再開させたのち（ステップＳ７０）、ステップＳ２０に移行する。一方、ミキサ３ｂから出力されるＩＦ信号のレベルが予め設定されている閾値以下であれば（ステップＳ６０のＮｏ）、ステップＳ５０に移行する。
【００２２】
なお、上述した図３のフローチャートに示す動作を行う電源制御部７としては、例えばマイクロコンピュータを用いてもよく、ミキサ３ｂから出力されるＩＦ信号のレベルに対応する検波器３ｃと閾値に対応する信号（例えば基準電圧源から出力される基準電圧）とを比較するコンパレータを用いてもよい。
【００２３】
次に、電源制御部７の他の動作フローチャートを図４に示す。なお、電源制御部７が図４のフローチャートに示す動作を行う場合、ＬＥＤ８は、アラーム用ＬＥＤと視聴不可報知用ＬＥＤとを有するようにする。
【００２４】
電源制御部７は、初期状態においてアラーム用ＬＥＤ及び視聴不可報知用ＬＥＤを消灯し、ＯＦＤＭ復調ＩＣ６への電源供給を停止させないようにする（ステップＳ１１０）。なお、電源制御部７がＯＦＤＭ復調ＩＣ６への電源供給を制御する一実施態様としては、例えば電源とＯＦＤＭ復調ＩＣ６との間にスイッチを設け、そのスイッチのオン／オフを電源制御部７が制御する態様が挙げられる。
【００２５】
続くステップＳ１２０において、電源制御部７は、検波器３ｃの出力に基づいて、ミキサ３ｂから出力されるＩＦ信号のレベルを検知する。そして、電源制御部７は、ミキサ３ｂから出力されるＩＦ信号のレベルが予め設定されている閾値より大きいかを判定する（ステップＳ１３０）。ミキサ３ｂから出力されるＩＦ信号のレベルが予め設定されている閾値より大きければ（ステップＳ１３０のＹｅｓ）、ステップＳ１２０に移行する。この場合、ＯＦＤＭ復調ＩＣ６に電源が供給されるので、ＯＦＤＭ復調ＩＣ６はトランスポートストリーム信号（ＴＳ信号）を出力する。
【００２６】
一方、ミキサ３ｂから出力されるＩＦ信号のレベルが予め設定されている閾値以下であれば（ステップＳ１３０のＮｏ）、電源制御部７は、アラーム用ＬＥＤを点灯して視聴が不可能な状態に陥る可能性があることをユーザに報知する（ステップＳ１４０）。このようにアラーム用ＬＥＤを点灯して視聴が不可能な状態に陥る可能性があることをユーザに報知するので、これから起こりうる映像等の遮断がデジタル放送受信装置の故障あるいは誤動作によるものでないことをユーザが認識することができ、電波の受信域等の見直しを映像等が遮断される前にユーザに促すこともできる。
【００２７】
続くステップＳ１５０において、電源制御部７は、検波器３ｃの出力に基づいて、ミキサ３ｂから出力されるＩＦ信号のレベルを一定期間検知し、ミキサ３ｂから出力されるＩＦ信号のレベルが予め設定されている閾値以下である状態が一定期間続くかを判定する。
【００２８】
電源制御部７にマイクロコンピュータを用いた場合、マイクロコンピュータが、タイマー機能によって一定期間を計時し、その一定期間中ＩＦ信号のレベルが閾値以下である状態が続くかを判定すればよい。このように電源制御部７にマイクロコンピュータを用いた場合、閾値の設定変更が容易になる。
【００２９】
また、電源制御部７にマイクロコンピュータを用いずに電源制御部７が積分回路を有する態様にした場合、積分回路が一定期間ミキサ３ｂから出力されるＩＦ信号のレベルを積分し、一定期間経過後にその積分値が所定値以下であるかをコンパレータ等によって判定すればよい。このように電源制御部７が積分回路を有するようにした場合、電源制御部７の回路構成が簡略化され、高価な部品を使用しなくてすむことからデジタル放送受信装置の低価格化を図ることができる。
【００３０】
ミキサ３ｂから出力されるＩＦ信号のレベルが予め設定されている閾値以下である状態が一定期間続いていると判定されなければ（ステップＳ１５０のＮｏ）、電源制御部７はアラーム用ＬＥＤを消灯し（ステップＳ１６０）、ステップＳ１２０に移行する。
【００３１】
一方、ミキサ３ｂから出力されるＩＦ信号のレベルが予め設定されている閾値以下である状態が一定期間続いていると判定されれば（ステップＳ１５０のＹｅｓ）、電源制御部７は、視聴不可報知用ＬＥＤを点灯して視聴が不可能な状態であることをユーザに報知するとともに、ＯＦＤＭ復調ＩＣ６への電源供給を停止させる（ステップＳ１７０）。一定期間中ミキサ３ｂから出力されるＩＦ信号のレベル劣化が続いた場合にＯＦＤＭ復調ＩＣ６への電源供給が停止するので、ミキサ３ｂから出力されるＩＦ信号レベルの瞬間的な劣化によってＯＦＤＭ復調ＩＣ６への電源供給が停止することを防止することができ、ＯＦＤＭ復調ＩＣ６への電源供給の不必要なＯＮ／ＯＦＦを避けることができる。また、視聴が不可能な状態であるときのＯＦＤＭ復調ＩＣ６での消費電力をなくすことができる。また、視聴不可報知用ＬＥＤを点灯して視聴が不可能な状態であることをユーザに報知するので、映像等の遮断がデジタル放送受信装置の故障あるいは誤動作によるものでないことをユーザが認識することができ、電波の受信域等の見直しをユーザに促すこともできる。
【００３２】
続くステップＳ１８０において、電源制御部７は、検波器３ｃの出力に基づいて、ミキサ３ｂから出力されるＩＦ信号のレベルを検知する。そして、電源制御部７は、ミキサ３ｂから出力されるＩＦ信号のレベルが予め設定されている閾値より大きいかを判定する（ステップＳ１９０）。ミキサ３ｂから出力されるＩＦ信号のレベルが予め設定されている閾値より大きければ（ステップＳ１９０のＹｅｓ）、電源制御部７は、視聴不可報知用ＬＥＤを消灯し、ＯＦＤＭ復調ＩＣ６への電源供給を再開させたのち（ステップＳ２００）、ステップＳ１５０に移行する。一方、ミキサ３ｂから出力されるＩＦ信号のレベルが予め設定されている閾値以下であれば（ステップＳ１９０のＮｏ）、ステップＳ１８０に移行する。
【００３３】
なお、図１の地上デジタル放送受信装置において、電源制御部７がＯＦＤＭ復調ＩＣ６への電源供給を停止させるときに同時にＩＦアンプ５への電源供給も停止させるようにしてもよい。また、図１の地上デジタル放送受信装置では、電源制御部７が検波器３ｃの出力に基づいてミキサ３ｂから出力されるＩＦ信号のレベルを検知したが、電源制御部７がアナログ−デジタル変換器（ＡＤＣ）６ａの出力に基づいてＩＦアンプ５から出力されるＩＦ信号のレベルを検知するようにしてもよい。この場合、電源制御部７は、ＯＦＤＭ復調ＩＣ６全体への電源供給ではなく、ＯＦＤＭ復調回路６ｂへの電源供給のみをオン／オフする。
【００３４】
次に、本発明に係る地上デジタル放送受信装置の他の構成を図５に示す。なお、図５において図１と同一の部分には同一の符号を付し詳細な説明を省略する。図５の地上デジタル放送受信装置では、電源制御部７が検波器３ｃの出力の代わりにＲＦ−ＡＧＣ回路３ｄの出力を入力し、ＲＦ−ＡＧＣ電圧を検知する。ＲＦ−ＡＧＣ電圧はミキサ３ｂから出力されるＩＦ信号のレベルに対応して変動するので、電源制御部７が図３又は図４に示すフローチャートの「ミキサ３ｂから出力されるＩＦ信号レベル検知」ステップを「ＲＦ−ＡＧＣ電圧検知」ステップに代え、「ミキサ３ｂから出力されるＩＦ信号レベルが閾値より大きいか否かの判定」ステップを「ＲＦ−ＡＧＣ電圧が閾値以下であるか否かの判定」ステップに代えた動作を行うことによって、視聴が不可能な状態であるときにＯＦＤＭ復調ＩＣ６への電源供給を停止させることができる。したがって、視聴が不可能な状態であるときのＯＦＤＭ復調ＩＣ６での消費電力をなくすことができ、省電力化を図ることができる。なお、図５の地上デジタル放送受信装置において、電源制御部７がＯＦＤＭ復調ＩＣ６への電源供給を停止させるときに同時にＩＦアンプ５への電源供給も停止させるようにしてもよい。
【００３５】
次に、本発明に係る地上デジタル放送受信装置の他の構成を図６に示す。なお、図６において図１と同一の部分には同一の符号を付し詳細な説明を省略する。図６の地上デジタル放送受信装置では、電源制御部７が検波器３ｃの出力の代わりにＩＦ−ＡＧＣ回路６ｃの出力を入力し、ＩＦ−ＡＧＣ電圧を検知する。ＩＦ−ＡＧＣ電圧はミキサ３ｂから出力されるＩＦ信号のレベルに対応して変動するので、電源制御部７が図３又は図４に示すフローチャートの「ミキサ３ｂから出力されるＩＦ信号レベル検知」ステップを「ＩＦ−ＡＧＣ電圧検知」ステップに代え、「ミキサ３ｂから出力されるＩＦ信号レベルが閾値より大きいか否かの判定」ステップを「ＩＦ−ＡＧＣ電圧が閾値以下であるか否かの判定」ステップに代え、「ＯＦＤＭ復調ＩＣ６全体への電源供給をオンする」ステップを「ＯＦＤＭ復調回路６ｂへの電源供給のみをオンする」ステップに代え、「ＯＦＤＭ復調ＩＣ６全体への電源供給をオフする」ステップを「ＯＦＤＭ復調回路６ｂへの電源供給のみをオフする」ステップに代えた動作を行うことによって、視聴が不可能な状態であるときにＯＦＤＭ復調回路６ｂへの電源供給を停止させることができる。したがって、視聴が不可能な状態であるときのＯＦＤＭ復調回路６ｂでの消費電力をなくすことができ、省電力化を図ることができる。
【００３６】
本実施形態では、ＲＦ−ＡＧＣ電圧及びＩＦ−ＡＧＣ電圧の特性を図２に示すようにしており、フェージング等の影響でＲＦ信号レベルが劣化してＲＦ−ＡＧＣ回路３ｄの制御範囲Ｌ１（図２参照）の下限より小さくなってもＩＦ−ＡＧＣ電圧によってＩＦアンプ５のゲインを増大させることでデジタル復調が可能な状態を維持することができる。また、ミキサ３ｂから出力されるＩＦ信号のレベルよりもＩＦアンプ５から出力されるＩＦ信号のレベルの方が高い。このため、図ＲＦ信号レベルが劣化してＲＦ−ＡＧＣ回路３ｄの制御範囲Ｌ１（図２参照）の下限より小さくなるとＯＦＤＭ復調ＩＣ６への電源供給を停止する図５の地上デジタル放送受信装置に比べて、図６の地上デジタル放送装置はＯＦＤＭ復調ＩＣ６に電源供給されるＲＦ信号レベルの範囲をより広範囲にすることができかつＯＦＤＭ復調ＩＣ６への電源供給の停止をより正確に行うことができる。
【００３７】
次に、本発明に係る地上デジタル放送受信装置の他の構成を図７に示す。なお、図７において図１と同一の部分には同一の符号を付し詳細な説明を省略する。図７の地上デジタル放送受信装置では、電源制御部７が、ＲＦ−ＡＧＣ回路３ｄの出力及びＩＦ−ＡＧＣ回路６ｃの出力を入力し、ＲＦ−ＡＧＣ電圧及びＩＦ−ＡＧＣ電圧を検知する。図７の地上デジタル放送受信装置の電源制御部７は図８に示すフローチャート動作を行う。なお、ＬＥＤ８は、アラーム用ＬＥＤと視聴不可報知用ＬＥＤとを有するようにする。
【００３８】
電源制御部７は、初期状態においてアラーム用ＬＥＤ及び視聴不可報知用ＬＥＤを消灯し、ＯＦＤＭ復調ＩＣ６への電源供給を停止させないようにする（ステップＳ２１０）。なお、電源制御部７がＯＦＤＭ復調ＩＣ６への電源供給を制御する一実施態様としては、例えば電源とＯＦＤＭ復調ＩＣ６との間にスイッチを設け、そのスイッチのオン／オフを電源制御部７が制御する態様が挙げられる。
【００３９】
続くステップＳ２２０において、電源制御部７は、ＲＦ−ＡＧＣ回路３ｄの出力を入力して、ＲＦ−ＡＧＣ電圧を検知する。そして、電源制御部７は、ＲＦ−ＡＧＣ電圧が最大値であるかを判定する（ステップＳ２３０）。ＲＦ−ＡＧＣ電圧が最大値でなければ（ステップＳ２３０のＮｏ）、ステップＳ２２０に移行する。この場合、ＯＦＤＭ復調ＩＣ６に電源が供給されるので、ＯＦＤＭ復調ＩＣ６はトランスポートストリーム信号（ＴＳ信号）を出力する。
【００４０】
一方、ＲＦ−ＡＧＣ電圧が最大値であれば（ステップＳ２３０のＹｅｓ）、電源制御部７は、アラーム用ＬＥＤを点灯して視聴が不可能な状態に陥る可能性があることをユーザに報知する（ステップＳ２４０）。このようにアラーム用ＬＥＤを点灯して視聴が不可能な状態に陥る可能性があることをユーザに報知するので、これから起こりうる映像等の遮断がデジタル放送受信装置の故障あるいは誤動作によるものでないことをユーザが認識することができ、電波の受信域等の見直しを映像等が遮断される前にユーザに促すこともできる。
【００４１】
続くステップＳ２５０において、電源制御部７は、ＩＦ−ＡＧＣ回路６ｃの出力を入力して、ＩＦ−ＡＧＣ電圧を一定期間検知し、ＩＦ−ＡＧＣ電圧が予め設定されている閾値を越えている状態が一定期間続くかを判定する。
【００４２】
電源制御部７にマイクロコンピュータを用いた場合、マイクロコンピュータが、タイマー機能によって一定期間を計時し、その一定期間中ＩＦ−ＡＧＣ電圧が閾値以下である状態が続くかを判定すればよい。このように電源制御部７にマイクロコンピュータを用いた場合、閾値の設定変更が容易になる。
【００４３】
また、電源制御部７にマイクロコンピュータを用いずに電源制御部７が積分回路を有する態様にした場合、積分回路が一定期間ＩＦ−ＡＧＣ電圧を積分し、一定期間経過後にその積分値が所定値を越えているかをコンパレータ等によって判定すればよい。このように電源制御部７が積分回路を有するようにした場合、電源制御部７の回路構成が簡略化され、高価な部品を使用しなくてすむことからデジタル放送受信装置の低価格化を図ることができる。
【００４４】
ＩＦ−ＡＧＣ電圧が予め設定されている閾値を越えている状態が一定期間続いていると判定されなければ（ステップＳ２５０のＮｏ）、電源制御部７はアラーム用ＬＥＤを消灯し（ステップＳ２６０）、ステップＳ２２０に移行する。
【００４５】
一方、ＩＦ−ＡＧＣ電圧が予め設定されている閾値を越えている状態が一定期間続いていると判定されれば（ステップＳ２５０のＹｅｓ）、電源制御部７は、視聴不可報知用ＬＥＤを点灯して視聴が不可能な状態であることをユーザに報知するとともに、ＯＦＤＭ復調ＩＣ６への電源供給を停止させる（ステップＳ２７０）。一定期間ＩＦ−ＡＧＣ電圧が閾値より高い状態が続いた場合にＯＦＤＭ復調ＩＣ６への電源供給が停止するので、ＩＦ−ＡＧＣ電圧の瞬間的な上昇によってＯＦＤＭ復調ＩＣ６への電源供給が停止することを防止することができ、ＤＥＭ復調ＩＣ６への電源供給の不必要なＯＮ／ＯＦＦを避けることができる。また、視聴が不可能な状態であるときのＯＦＤＭ復調ＩＣ６での消費電力をなくすことができる。また、視聴不可報知用ＬＥＤを点灯して視聴が不可能な状態であることをユーザに報知するので、映像等の遮断がデジタル放送受信装置の故障あるいは誤動作によるものでないことをユーザが認識することができ、電波の受信域等の見直しをユーザに促すこともできる。
【００４６】
続くステップＳ２８０において、電源制御部７は、ＲＦ−ＡＧＣ回路３ｄの出力を入力して、ＲＦ−ＡＧＣ電圧を検知する。そして、電源制御部７は、ＲＦ−ＡＧＣ電圧が最大値であるかを判定する（ステップＳ２９０）。ＲＦ−ＡＧＣ電圧が最大値でなければ（ステップＳ２９０のＮｏ）、電源制御部７は、視聴不可報知用ＬＥＤを消灯し、ＯＦＤＭ復調ＩＣ６への電源供給を再開させたのち（ステップＳ３００）、ステップＳ２５０に移行する。一方、ＲＦ−ＡＧＣ電圧が最大値であれば（ステップＳ２９０のＹｅｓ）、ステップＳ２８０に移行する。
【００４７】
ＩＦ−ＡＧＣ電圧のみに応じてＯＦＤＭ復調への電源供給をＯＮ／オフする図６の地上デジタル放送装置では、フェージング等の影響でＲＦ信号レベルが劣化してＲＦ−ＡＧＣ回路３ｄの制御範囲Ｌ１（図２参照）の下限より小さくなって後さらにＲＦ信号レベルが劣化しなければアラーム用ＬＥＤが点灯しない。これに対して、図７の地上デジタル放送装置では、ＲＦ信号レベルが劣化してＲＦ−ＡＧＣ回路３ｄの制御範囲Ｌ１（図２参照）の下限より小さくなるとアラーム用ＬＥＤが点灯するので、図６の地上デジタル放送受信装置に比べてより早期に視聴が不可能な状態に陥る可能性があることをユーザに報知することができる。
【００４８】
なお、図７の地上デジタル放送受信装置において、電源制御部７がＯＦＤＭ復調ＩＣ６への電源供給を停止させるときに同時にＩＦアンプ５への電源供給も停止させるようにしてもよい。
【００４９】
上述した図１、図５、図６、及び図７の地上デジタル放送受信装置にはＬＥＤ８を設けたが、ＬＥＤ８を設けない構成にしてもよい。ＬＥＤ８を設けない場合、当然電源制御部７はＬＥＤの制御を行わない。また、ＬＥＤ８に代えて他の報知装置例えばＬＣＤ等の表示装置や音声出力装置を設けてもよい。
【００５０】
【発明の効果】
本発明によると、省電力化を図ることができるデジタル放送受信装置を実現することができる。
【図面の簡単な説明】
【図１】本発明に係る地上デジタル放送受信装置の構成を示す図である。
【図２】ＡＧＣ電圧の特性を示す図である。
【図３】図１のデジタル放送受信装置が備える電源制御部の動作を示すフローチャートである。
【図４】図１のデジタル放送受信装置が備える電源制御部の他の動作を示すフローチャートである。
【図５】本発明に係る地上デジタル放送受信装置の他の構成を示す図である。
【図６】本発明に係る地上デジタル放送受信装置の他の構成を示す図である。
【図７】本発明に係る地上デジタル放送受信装置の他の構成を示す図である。
【図８】図７のデジタル放送受信装置が備える電源制御部の動作を示すフローチャートである。
【符号の説明】
１  ＲＦアンプ
３  チューナＩＣ
５  ＩＦアンプ
６  ＯＦＤＭ復調回路
７  電源制御部
【図１】
2004364000.tif 000003
【図２】
2004364000.tif 000004
【図３】
2004364000.tif 000005
【図４】
2004364000.tif 000006
【図５】
2004364000.tif 000007
【図６】
2004364000.tif 000008
【図７】
2004364000.tif 000009
【図８】
2004364000.tif 000010